(57)【要約】【課題】置き場所を保持でき、再利用の際に便利がよい、カッターナイフを提供する。【解決手段】カッターナイフ１０にマグネットラバー３を装着した。【選択図】図１
0003131515.tif 000002
【実用新案登録請求の範囲】
【請求項１】
カッターナイフに磁石ないしマグネットラバーを装着したカッターナイフ。
【請求項２】
カッターナイフの磁性体部分に磁気を帯びさせたカッターナイフ
【考案の詳細な説明】
【技術分野】
【０００１】  本考案は、紙や布などの切断に用いられるカッターナイフに関するものである。
【背景技術】
【０００２】  従来、カッターナイフの使用・常備・保管に際しては、ポケットないしは作業袋等や、カッターナイフ用ホルダーを利用したり、ペン立てや引出しに入れたりしていた。
この際、カッターナイフ自体に磁石を取付けたり磁気を帯びさせたりさせたものは提案されていたかった。
一方、磁石などは単体で常備する事が少ないので、これをカッターナイフに装着して用いるということも考えにくかった。
【考案の開示】
【考案が解決しようとする課題】
【０００３】  ところが、カッターナイフは単体で常備することが出来にくいし、また、机に置いておくと、机から落としたりする。また、置き場所が一定していないと、使用現場でカッターナイフを探さなくてはいけない。更に、ホルダーなどがない場合には、持ち運びに不便なものであった。【０００４】  また、カッターナイフが滑り易い、という問題もあった。【０００５】  更に、カッター刃を折った時、刃が飛散し、その、場合に飛散した刃片が拾い難いという問題があった。【０００６】  内装クロス張りに関して、職人は腰袋に地ベラや、クロス撫ブラシ等を入れ、カッターナイフホルダー部分にカッターナイフを挿し込んで作業をしているが、地ベラとカッターナイフを別々と手に取らなくてはいけないという問題があった。
また、カッターナイフの使用後には、カッターナイフホルダー部に挿しこんで戻すという手間がかかっていた。
また、登録実用新案１にも、カッターナイフの上記問題を解決するような記載はなかた。［登録実用新案１］実用新案登録  第８０８１２３３号  公報
本考案は、上記のような問題を解決しようとするもので、置き場所を保持でき、再利用の際に便利がよい、カッターナイフを提供することを目的とする。
【問題を解決するための手段】
【０００７】  カッターナイフに磁石を取り付け、あるいは、磁気を帯びさせることによって、磁力が作用する部分に対して、置くだけでカッターナイフに常備・設置能力を持たす事が出来、上述の多くの使用上の問題点を解決することができる。
【考案の効果】
【０００８】  カッターナイフの使用現場で、金属部分がある（磁力が作用する）所に引着常備することが出来るため、カッターナイフを探さなくてすむ。例えば、事務用スティールデスクでは引着する為、カッターナイフが落ちない。
【０００９】  また、スティール棚の柱部分にカッターナイフを引着させて置ける。
【００１０】  家庭内の台所などでは、冷蔵庫の扉にカッターナイフを引着させて置ける。
【００１１】  事務用ホワイトボードにカッターナイフを引着させて常備できる。
【００１２】  内装クロス張りに関して、職人は腰袋に地ベラ・クロス撫ブラシ等を入れ、カッターナイフホルダー部分にカッターナイフを挿し込んで作業をしているが、地ベラの金属部分に磁力カッターナイフを装着する事が出来、片手で地ベラと共にカッターナイフを取ることが出来、作業効率をあげることができる。
従って、使用後のカッターナイフをホルダー部に挿しこむ手間が省け、更に再利用時にも、共使用する地ベラの所にカッターナイフがあるので、非常に便利である。
【００１３】  カッターの磁力がカッター刃にも及び、カッター刃を折った時に飛散しにくい。また、飛散したカッター刃片を拾う時に、磁力で引着させることができる。
【００１４】  カッター刃以外の金属製の押しピン、クリップ等も磁力で拾う事が出来る。
【考案を実施するための最良の形態】
【００１５】  以下、添付図面に従って本考案の実施形態を説明する。【００１６】  図１（ａ）のカッターナイフ１０は、カッターナイフ本体１と、耐久性のプラスチック等適宜素材にて成形されたグリップ部２と、このグリップ部２の背側のほぼ全長に渡って装着されたマグネットラバー３と、カッターナイフ本体１内に出し入れ可能にかつ一定伸びだし状態を保持するように収容された折れ目付きカッター刃５とを備えている。
このマグネットラバー３を装着した点が、このカッターナイフ１０の特徴であり、それにより、鉄など磁力の及ぶ素材で製されたものに、このマグネットラバー３が接するように置かれた際には、カッターナイフ１０は、その接触面の向きに拘わらずに、その場所に引着され、その引着状態を維持する。【００１７】  図１（ｂ）のカッターナイフ１０Ａは、図１（ａ）のカッターナイフ１０に比べ、マグネットラバー３Ａが、カッターナイフ本体１の全長ではなく部分的に装着され、また、カッターナイフ本体１の背側だけでなく、その反対側にも及んでいる点が異なっている。
なお、図１（ｂ）において、符号２ａは、カッター刃５を出し入れ可能にかつ一定伸びだし状態を保持するストッパである。また、これより既に説明した部分と同じ部分には同じ符号を付して重複説明を省略する。
このようにすると、カッターナイフ１０と同様の効果に加え、マグネットラバーの滑り止め効果がよりよく発揮され、カッターナイフ１０Ａを保持した際に、滑って落とすようなことが少なくなる。【００１８】  図１（ｃ）のカッターナイフ１０Ｃは、図１（ａ）のカッターナイフ１０に比べ、グリップ部２の反刃先側が、より膨らんだ形状で、作業者が握って保持しやすくなっており、この部分に、磁石３Ｂが埋め込まれている点が異なっている。
このように本発明のカッターナイフでは、マグネットラバーの代わりに、磁石を用いてもよく、同様の効果を発揮する。
ただし、この場合には、カッターナイフ側に、その磁石を収容するような形状の部分をあらかじめ設けておいた方が、出っ張りがなく、また、磁石の装着状態をよりよく保持することができる。【００１９】  図１（ｄ）のカッターナイフ１０Ｃは，図１（ａ）のカッターナイフ１０に比べ、グリップ部２を特に設けず、一方、カッターナイフ本体１Ａを磁性体（例えば、磁性を有するステンレス鋼）で製し、磁気を帯びさせたものである。
このようにすると、カッターナイフ１０と同様の効果を発揮すると共に、カッター刃５も磁化することができる、という効果を発揮する。【００２０】  これより、図２に従って、本発明のカッターナイフの使用例を説明する。【００２１】  図２（ａ）は，スチール製机ＳＴの上に置かれたスチール製引き出しＳＨに取り付けたものを示している。
このように垂直な面に引着させた場合でも、本発明の磁力を有するカッターナイフ１０は、その引着状態を維持し落下することなく、また、使用する際には、簡単に手に取ることで使えるようになる。【００２２】  図２（ｂ）はスチール棚ＳＳの柱に取り付けたカッターナイフ１０を示している。
このように、カッターナイフ１０は、磁石のくっつく所であれば、場所を選ばず引着され、その状態を維持するので、現場で、使用場所のすぐ近くに仮置きしておくのに都合がよく、何度もカッターナイフ１０を再使用する場合に便利が良い。【００２３】  図２（ｃ）は、家庭の冷蔵庫ＳＲに取り付けたカッターナイフ１０Ｂを示しており、この場合も同様の効果を発揮することができる。【００２４】  図２（ｄ）は、クロス職人Ｍが使用している状態を示している。
この際、カッターナイフ１０は、その磁力により、内装のクロスを貼り付ける際に同時に利用する地ベラＴＢのヘラ部分（鉄など磁石に引着されるもので製されている。）に引着されている。
職人Ｍは、その一方の手に持った地ベラＴＢでクロスを押え、他方の手でカッターナイフ１０を地ベラＴＢから取り外して、この地ベラの先端部分をガイドにクロスをカットする作業を行うのである。
つまり、カッターナイフ１０は、同時に使用する地ベラＴＢに着脱自在に引着させて用いることができるので、非常に便利であり、内装作業の効率を向上させることができる。【００２５】  図２（ｅ）は、カッターナイフ１０Ｃにおいて、カッター刃５を折った時の状態を示している。
この際、カッター刃５もカッター本体１Ａにより磁化されているので、カッター刃５を折り目で折った場合に、カッター刃片５ａが飛散することなく、元のカッター刃５に引着されたまま残るので、便利がよい。
また、例え、飛散した場合でも、カッター刃片５ａを拾い集めるのに磁力を用いることができるので便利である。
この磁力は、この図で併せて示しているように、押しピンＯＰや、クリップＣなど磁力で引着されるものを拾う場合にも用いることができる。
なお、本発明のカッターナイフは、上記の実施例に限定されず、特許請求の範囲に記載された範囲、実施の態様の範囲で、種々の変形例、組み合わせが可能である。
【産業上の利用可能性】  本発明のカッターナイフは、置き場所を保持でき、再利用の際に便利がよいことが要請される産業分野に用いることができる。
【図面の簡単な説明】
【図１】  （ａ）〜（ｄ）は、本発明のカッターナイフを例示する図面
【図２】  （ａ）〜（ｅ）は、本発明のカッターナイフの使用法を例示する図面
【符号の説明】
１              カッター本体
１Ａ            カッター本体（磁気を帯びた）
２、２Ａ        グリップ部
３、３Ａ        マグネットラバー
３Ｂ            磁石
５              カッター刃
１０〜１０Ｃ    カッターナイフ
【図１】
0003131515.tif 000003
【図２】
0003131515.tif 000004